(57)【要約】【課題】  タッチパネル表示装置において、電磁ノイズによる障害の発生を抑制する。【解決手段】  タッチパネル４のうち、少なくとも操作領域４Ａを除く前面側を覆う金属製の第１カバー部５Ａを設ける。これにより、電磁ノイズを効果的に遮蔽することが可能となり、電磁ノイズによる障害の発生を抑制することができる。【選択図】図１
2013120535.tif 000002
【特許請求の範囲】
【請求項１】
情報を表示する表示パネルと、
前記表示パネルの前面側に配設され、ユーザにより操作されるタッチパネルと、
前記タッチパネルのうち、少なくとも操作領域を除く前面側を覆う金属製の第１カバー部と
を備えることを特徴とするタッチパネル表示装置。
【請求項２】
前記第１カバー部から前記表示パネルの背面側に延びるとともに、前記タッチパネル及び前記表示パネルの外周を覆う金属からなる筒状の第２カバー部を備えることを特徴とする請求項１に記載のタッチパネル表示装置。
【請求項３】
前記第１カバー部及び前記第２カバー部は、同一の金属にて一体成形されていることを特徴とする請求項２に記載のタッチパネル表示装置。
【請求項４】
前記第１カバー部及び前記第２カバー部は、プレス加工にて一体成形されていることを特徴とする請求項２又は３に記載のタッチパネル表示装置。
【請求項５】
前記第２カバー部に組み付けられ、前記表示パネルの背面側を覆う金属製の第３カバー部を備えることを特徴とする請求項２ないし４のいずれか１項に記載のタッチパネル表示装置。
【請求項６】
前記表示パネルと前記タッチパネルとの間には、硬質なスペーサが配設されていることを特徴とする請求項１ないし４のいずれか１項に記載のタッチパネル表示装置。
【請求項７】
前記表示パネルと前記タッチパネルとの間に配設され、変形可能な材質からなるパッキンを備えることを特徴とする請求項６に記載のタッチパネル表示装置。
【請求項８】
前記タッチパネルは、静電容量方式のパネルであることを特徴とする請求項１ないし７のいずれか１項に記載のタッチパネル表示装置。
【発明の詳細な説明】
【技術分野】
【０００１】
本発明は、表示パネル及びタッチパネルを備えるタッチパネル表示装置に関するものであり、特に、静電容量方式のタッチパネルを用いたタッチパネル表示装置に適用して有効である。
【背景技術】
【０００２】
例えば、特許文献１に記載の発明では、タッチパネルを保持する弾性部材が、樹脂製のケーシングと二重成形により一体化されている。
【先行技術文献】
【特許文献】
【０００３】
【特許文献１】特開平９−１１５３７８号公報
【発明の概要】
【発明が解決しようとする課題】
【０００４】
しかし、特許文献１に記載の発明では、タッチパネルの前面側、つまりユーザが触れる操作面側に電磁ノイズ対策が全く施されていないので、電磁ノイズに起因した障害が発生するおそれが高い。なお、この電磁ノイズによる障害は、特に、静電容量方式のタッチパネルを用いた場合に顕著な問題となる可能性がある。
【０００５】
因みに、電磁ノイズによる障害には、（ａ）タッチパネルが他の機器から放射せられた電磁ノイズにより障害が生じる場合、（ｂ）タッチパネルが電磁ノイズを放射することにより他の機器に障害が生じる場合等がある。
【０００６】
本発明は、上記点に鑑み、電磁ノイズによる障害の発生を抑制することを目的とする。
【課題を解決するための手段】
【０００７】
本発明は、上記目的を達成するために、請求項１に記載の発明では、情報を表示する表示パネル（３）と、表示パネル（３）の前面側に配設され、ユーザにより操作されるタッチパネル（４）と、タッチパネル（４）のうち、少なくとも操作領域（４Ａ）を除く前面側を覆う金属製の第１カバー部（５Ａ）とを備えることを特徴とする。
【０００８】
これにより、請求項１に記載の発明では、金属製の第１カバー部（５Ａ）が設けられているので、樹脂製のケーシングに比べて電磁ノイズを効果的に遮蔽することが可能となり、電磁ノイズによる障害の発生を抑制することができる。
【０００９】
請求項２に記載の発明では、第１カバー部（５Ａ）から表示パネル（３）の背面側に延びるとともに、タッチパネル（４）及び表示パネル（３）の外周を覆う金属からなる筒状の第２カバー部（５Ｂ）を備えることを特徴とする。
【００１０】
これにより、請求項２に記載の発明では、より確実に電磁ノイズを効果的に遮蔽することが可能となる。
なお、第１カバー部（５Ａ）及び第２カバー部（５Ｂ）は、請求項３に記載の発明のごとく、同一の金属にて一体成形されたもの、又は請求項４に記載の発明のごとく、プレス加工にて一体成形されたものであってもよい。
【００１１】
請求項５に記載の発明では、第２カバー部（５Ｂ）に組み付けられ、表示パネル（３）の背面側を覆う金属製の第３カバー部（８）を備えることを特徴とする。
これにより、請求項５に記載の発明では、より確実に電磁ノイズを効果的に遮蔽することが可能となる。
【００１２】
請求項６に記載の発明では、表示パネル（３）とタッチパネル（４）との間に配設され、硬質なスペーサ（６）を備えることを特徴とする。
これにより、請求項６に記載の発明では、ユーザがタッチパネル（４）を強く押圧した場合であっても、表示パネル（３）とタッチパネル（４）との間に隙間（６Ａ）を確保され、表示パネル（３）とタッチパネル（４）との隙間寸法が大きく縮小してしまうことを防止できる。
【００１３】
そして、特に、静電容量方式のタッチパネルの場合においては、隙間寸法が大きく縮小してしまうことを防止できることから、タッチパネルの応答性が大きく変化してしまうことを抑制できる。
【００１４】
なお、「硬質なスペーサ」とは、例えば「ＰＣ＋ＡＢＳ」等のように、一般的ユーザの押圧力によっては殆ど圧縮変形しない程度の材質からなるものである。具体的には、ヤング率が２ＧＰａ以上の材料が好適である。
【００１５】
請求項７に記載の発明では、表示パネル（３）とタッチパネル（４）との間に配設され、変形可能な材質からなるパッキン（７）を備えることを特徴とする。
これにより、請求項７に記載の発明では、表示パネル（３）とタッチパネル（４）との間に異物が侵入することを抑制できるので、タッチパネル表示装置に不具合が発生することを抑制できる。
【００１６】
なお、請求項８に記載の発明では、タッチパネル（４）は、静電容量方式のパネルであることを特徴とする。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１７】
【図１】（ａ）は本発明の実施形態に係るタッチパネル表示装置１の断面図であり（ｂ）は図１（ａ）の拡大図である。
【図２】本発明の実施形態に係るタッチパネル表示装置１の背面図である。
【発明を実施するための形態】
【００１８】
以下に説明する「発明の実施形態」は実施形態の一例を示すものである。つまり、特許請求の範囲に記載された発明特定事項等は、下記の実施形態に示された具体的手段や構造等に限定されるものではない。
【００１９】
そして、本実施形態は、車両用表示装置に本発明に係るタッチパネル表示装を適用したものである。以下、本発明の実施形態を図面と共に説明する。
１．タッチパネル表示装置の構成
図１（ａ）に示すタッチパネル表示装置１は、車室内に設けられた樹脂製のフロントパネル２に設定されたコンソールに収納されている。
【００２０】
なお、本実施形に係るタッチパネル表示装置１は、車両用空調装置、カーナビゲーションシステム及びオーディオシステム等を操作する操作パネル機能、並びにカーナビゲーションシステム用情報表示機能を兼ね備えるものである。
【００２１】
図１（ａ）中、表示パネル３は情報を表示する表示部ある。そして、表示パネル３の前面側には、ユーザにより操作されるタッチパネル４が配設されている。なお、タッチパネル４とは、ユーザが触れた位置を検出する位置入力装置の一種であり、本実施形態では、静電容量方式のタッチパネルを用いている。因みに、本実施形態に係る表示パネル３は、液晶表示パネルにて構成されている。
【００２２】
また、タッチパネル４及び表示パネル３は、筐体カバー５により覆われている。この筐体カバー５は、タッチパネル４のうち操作領域４Ａを除く前面側を覆う額縁状の第１カバー部５Ａ、及び第１カバー部５Ａから表示パネル３の背面側に延びてタッチパネル４の外周及び表示パネル３の外周を角筒状の第２カバー部５Ｂ等から構成されている。
【００２３】
なお、第１カバー部５Ａ及び第２カバー部５Ｂは、ＳＰＣＣやＳＥＣＣ等の金属板にプレス加工を施すことにより同一の金属にて一体成形されている。また、操作領域４Ａとは、ユーザが触れたことを検出することが可能な領域のうち、ユーザが触れることが可能な領域をいう。
【００２４】
そして、表示パネル３とタッチパネル４との間には、硬質樹脂材からなるスペーサ６が配設されており、このスペーサ６によって表示パネル３とタッチパネル４との間に隙間６Ａが確保されている。ここで、硬質樹脂材とは、例えば、ポリカーボネート／アクリロニトリル・ブタジエン・スチン等のヤング率が２ＧＰａ以上の材料をいう。
【００２５】
すなわち、本実施形態に係るスペーサ６は、表示パネル３とタッチパネル４との間に位置する矩形枠状のスペーサ本体６Ａ、及び表示パネル３の端部及びタッチパネル４の端部と第２カバー部５Ｂとにより挟まれた被挟持部６Ｂ等から構成されている。なお、スペーサ本体６Ａと被挟持部６Ｂ等とはインジェクション成形等により一体成形されている。
【００２６】
そして、スペーサ本体６Ａにより表示パネル３とタッチパネル４との間の隙間寸法Ｔ１が規定され、被挟持部６Ｂにより第２カバー部５Ｂに対する表示パネル３及びタッチパネル４の位置が規定されている。
【００２７】
なお、「第２カバー部５Ｂに対する表示パネル３及びタッチパネル４の位置」とは、例えば表示パネル３の表示面が鉛直方向と平行の場合においては、第２カバー部５Ｂに対する表示パネル３及びタッチパネル４の鉛直方向及び水平方向の位置に相当する。
【００２８】
また、スペーサ６は、図１（ｂ）に示すように、表示パネル３とタッチパネル４と間にスペーサ本体６Ａが挟まれた状態において、被挟持部６Ｂと第１カバー部５Ａとの間に隙間６Ｃが発生するような寸法に設定されている。
【００２９】
そして、表示パネル３とタッチパネル４との間であって、操作領域４Ａから外方側にずれた部位のうちスペーサ本体６Ａより操作領域４Ａ側の位置には、額縁状のパッキン７が配設されている。このパッキン７は、ポロン（登録商標）等の弾性変形可能な材質からなるものである。因みに、本実施形態に係るパッキン７は、両面テープや接着剤等にてタッチパネル４に貼付されている。
【００３０】
また、表示パネル３の背面側は、ＳＥＣＣ又はＳＰＣＣ等の金属製の第３カバー部８が配設されている。この第３カバー部８は、表示パネル３の背面に位置する矩形板状のカバー部８Ａ、及びこのカバー部８Ａを第２カバー部５Ｂに固定するための角筒状の組付筒８Ｂ等から構成されている。
【００３１】
また、カバー部８Ａの背面側は背面カバー１０により覆われている。そして、組付筒８Ｂは、ネジ等の機械的締結手段により、背面カバー１０と共に第２カバー部５Ｂに組付固定されている。
【００３２】
因みに、第３カバー部８には、カバー部８Ａより表示パネル３側に突出した角筒状の枠部８Ｃが設けられている。そして、カバー部８Ａ、組付筒８Ｂ及び枠部８Ｃはプレス成形に一体成形されている。背面カバー１０は、アルミニウム等の放熱性に優れた金属材をダイカスト法により成形されている。
【００３３】
また、第３カバー部８と背面カバー１０とにより囲まれた空間１２内には、タッチパネル４及び表示パネル３用の電気基板９Ａ、９Ｂが配設されている。そして、電気基板９Ａ、９Ｂには、電気基板９Ａ、９Ｂに実装されている電子部品の温度上昇を抑制するための放熱板１１が組み付けられている。なお、放熱板１１は、アルミニウム等の放熱性に優れた金属材をダイカスト法により成形したものである。
【００３４】
因みに、電気基板９Ａは、複数のネジにより放熱板１１と共にカバー部８Ａに組み付けられている。一方、電気基板９Ｂは、複数のネジにより放熱板１１に組み付けられている。そして、電気基板９Ｂを放熱板１１に固定する複数のネジのうち、少なくとも１本のネジは、背面カバー１０を貫通して放熱板１１に固定されている。
【００３５】
また、第３カバー部８と背面カバー１０とにより囲まれた空間１２、つまり電気基板９Ａ、９Ｂが収納された空間は、連通口１２Ａを介して空間１２外と連通している。この連通口１２Ａは、第２カバー部５Ｂ及び組付筒８Ｂを、電気基板９Ａ、９Ｂの板面と平行な方向に貫通する貫通穴にて構成されている。
【００３６】
また、背面カバー１０には、空間１２Ａ内の空気を換気するファン１３が設けられている。そして、本実施形態では、図２に示すように、ファン１３により空間１２内の空気が空間外に排出されるので、これと同時に、下方側に設定された連通口１２Ａから空間１２外の空気が空間１２内に流入する。
【００３７】
このため、空間１２Ａ内の空気が換気されるので、空間１２内の熱気が排出されて空間１２内の温度上昇が抑制され、放熱板１１の放熱作用が促進される。因みに、本実施形態に係るファン１３は、軸方向から吸引された空気が軸方向と交差する方向に通り抜ける遠心式多翼ファン（ＪＩＳ  Ｂ  ０１３２番号１００４等参照）にて構成されている。
【００３８】
２．本実施形態に係るタッチパネル表示装置の特徴
本実施形態では、タッチパネル４のうち、少なくとも操作領域４Ａを除く前面側を覆う金属製の第１カバー部５Ａが設けられていることを特徴としているので、電磁ノイズを効果的に遮蔽することが可能となり、電磁ノイズによる障害の発生を抑制することができる。
【００３９】
また、本実施形態では、タッチパネル４及び表示パネル３の外周を覆う第２カバー部５Ｂを備えることを特徴としているので、より確実に電磁ノイズを効果的に遮蔽することが可能となる。
【００４０】
また、本実施形態では、表示パネル３の背面側を覆う金属製の第３カバー部８を備えることを特徴としているので、より確実に電磁ノイズを効果的に遮蔽することが可能となる。
【００４１】
また、本実施形態では、表示パネル３とタッチパネル４との間に硬質なスペーサ６を備えることを特徴としている。
これにより、本実施形態では、ユーザがタッチパネル４を強く押圧した場合であっても、表示パネル３とタッチパネル４との間に隙間６Ａを確保され、表示パネル３とタッチパネル４との隙間寸法Ｔ１が大きく縮小してしまうことを防止できる。
【００４２】
因みに、本実施形態は、隙間６Ａの隙間寸法Ｔ１を０．５ｍｍとしているが、この寸法は、タッチパネル４の種類やその他仕様等により適宜決定される寸法値である。
そして、特に、静電容量方式のタッチパネルの場合においては、上記の隙間寸法が大きく縮小してしまうことを防止できることから、タッチパネルの応答性が大きく変化してしまうことを抑制できる。
【００４３】
また、本実施形態では、表示パネル３とタッチパネル４との間に変形可能な材質からなるパッキン７を配設したことを特徴としているので、表示パネル３とタッチパネル４との間に異物が侵入することを抑制でき、タッチパネル表示装置に不具合が発生することを抑制できる。
【００４４】
また、パッキン７が弾性変形可能な材料から構成されているので、パッキン７をユーザがタッチパネル４を強く押圧した際の押圧力を吸収する緩衝材として機能させることができる。
【００４５】
また、本実施形態では、スペーサ６及びパッキン７により、表示パネル３とタッチパネル４とが直接的に接着しない構成とであることを特徴としている。これにより、仮に、表示パネル３又はタッチパネル４に不具合が生じ、交換、補修が必要となった場合であっても、それらの作業を容易に行うことができるので、リペア性を向上させることができる。
【００４６】
また、被挟持部６Ｂと第１カバー部５Ａとの間に隙間６Ｃが設定されているので、第１カバー部５Ａ、タッチパネル４及びスペーサ６等の公差が集積した場合であっても、スペーサ６と第１カバー部５Ａとが干渉してしまうことを未然に防止できる。
【００４７】
また、ファン１３及び連通口１２Ａにより、電気基板９Ａ、９Ｂが収納された空間１２内を換気するので、空間１２内の熱気が排出され、電気基板９Ａ、９Ｂの温度上昇を抑制することができる。
【００４８】
（その他の実施形態）
上述の実施形態では、ファン１３としてターボファンやシロッコファン等の遠心式多翼ファンを用いたが、本発明はこれに限定されるものではなく、例えば、横流ファン（ＪＩＳ  Ｂ  ０１３２番号１０１７等参照）や空気が回転軸方向を通り抜ける軸流ファン（ＪＩＳ  Ｂ  ０１３２番号１０１２等参照）等を用いてもよい。
【００４９】
また、上述の実施形態では、ファン１３は空間１２内の空気を排出するものであったが、本発明はこれに限定されるものではなく、これとは逆に、ファン１３により空間１２外の空気を空間１２内に吸引し、連通口１２Ａから空間１２外の空気を排出することにより、空間１２Ａ内の空気を換気してもよい。
【００５０】
また、上述の実施形態では、静電容量方式のタッチパネル４を用いたが、本発明はこれに限定されるものではなく、他の方式のタッチパネル４を用いてもよい。同様に、表示パネル３も液晶パネル以外の表示パネルを用いてもよい。
【００５１】
また、上述の実施形態では、車両用表示装置に本発明に係るタッチパネル表示装を適用したが、本発明の適用はこれに限定されるものではなく、例えば携帯型端末装置等に適用することができる。
【００５２】
また、本発明は、特許請求の範囲に記載された発明の趣旨に合致するものであればよく、上述の実施形態に限定されるものではない。
【符号の説明】
【００５３】
１… タッチパネル表示装置  ２… フロントパネル  ３… 表示パネル
４… タッチパネル  ４Ａ… 操作領域  ５… 筐体カバー  ５Ａ… 第１カバー部
５Ｂ… 第２カバー部  ６… スペーサ  ６Ａ… 隙間  ６Ａ… スペーサ本体
６Ｂ… 被挟持部  ６Ｃ… 隙間  ７… パッキン  ８… 第３カバー部
８Ａ… カバー部  ８Ｂ… 組付筒  ９Ａ… 電気基板  ９Ｂ… 電気基板
１０… 背面カバー  １１… 放熱板  １２… 空間  １２Ａ… 連通口
１３… ファン
【図１】
2013120535.tif 000003
【図２】
2013120535.tif 000004